(57)【要約】【課題】数値入力のキー操作性を向上することである。【解決手段】筐体１と、筐体１の背面の略中央に設けられ、指を掛けるための第１の凹部と、筐体の正面における前記第１の凹部に対応する位置に配置され、操作入力を受け付けるブロック３ａと、を備え、ブロック３ａは、０の数値入力を受け付ける０数値キー３３Ａ及び確定入力を受け付けるエンターキー３４を含む。【選択図】図１
2009009195.tif 000002
【特許請求の範囲】
【請求項１】
筐体と、
前記筐体の背面の略中央に設けられ、指を掛けるための第１の凹部と、
前記筐体の正面における前記第１の凹部に対応する位置に配置され、操作入力を受け付ける第１の操作部と、を備え、
前記第１の操作部は、０の数値入力を受け付ける０数値キー及び確定入力を受け付けるエンターキーを含む端末装置。
【請求項２】
前記筐体の先端に配置され、光学的に情報を読み取るスキャナ部を備え、
前記第１の操作部は、前記スキャナ部の読み取り実行の入力を受け付けるトリガキーを含み、
前記トリガキーは、前記筐体の正面の略中央に設けられ、
前記０数値キー及び前記エンターキーは、前記筐体の正面における前記トリガキーの左右に配置される請求項１に記載の端末装置。
【請求項３】
前記筐体の正面における前記第１の操作部の後端側の隣接位置に配置され、１から９の数値入力を受け付ける数値キーを含む第２の操作部を備える請求項１又は２に記載の端末装置。
【請求項４】
前記筐体の背面における前記第２の操作部に対応する位置に配置され、指を掛けるための第２の凹部を備える請求項３に記載の端末装置。
【請求項５】
前記０数値キー、前記エンターキー及び前記第２の操作部の数値キーは、前記筐体の後端側から先端側へ上昇する階段状に配置される請求項３又は４に記載の端末装置。
【発明の詳細な説明】
【技術分野】
【０００１】
本発明は、端末装置に関する。
【背景技術】
【０００２】
従来、商品に付されるバーコードを光学的に読み取ったり、各種情報をキー入力可能な店舗支援用の端末装置としてのハンディターミナルが広く使われている。
【０００３】
ハンディターミナルでは、筐体に配置されたトリガキーの押下により、スキャン（バーコード読み取り）の実行指示入力を行う。また、ハンディターミナルは、商品の発注数量等を入力するためのテンキーやエンターキーを備える。例えば、筐体の後端から先端へ向けて、エンターキーと数値が０から９へ昇順に配列されたテンキーとを備えるハンディターミナルが知られている（例えば、特許文献１参照）。他にも、筐体後端側から先端側へ向けて、エンターキーと数値が９から０へ降順に配列されたテンキーとを備えるハンディターミナルもあった。
【特許文献１】特開２０００−１６３５２９号公報
【発明の開示】
【発明が解決しようとする課題】
【０００４】
しかし、従来のハンディターミナル等の端末装置において、数値入力における使用頻度の高いキーが押しにくい位置にあったり、指の移動量が大きく、長時間使用すると疲れるおそれがあった。このため、数値入力についてさらなるキー操作性の向上の要請がある。
【０００５】
本発明の課題は、数値入力のキー操作性を向上することである。
【課題を解決するための手段】
【０００６】
上記課題を解決するために、請求項１に記載の発明の端末装置は、
筐体と、
前記筐体の背面の略中央に設けられ、指を掛けるための第１の凹部と、
前記筐体の正面における前記第１の凹部に対応する位置に配置され、操作入力を受け付ける第１の操作部と、を備え、
前記第１の操作部は、０の数値入力を受け付ける０数値キー及び確定入力を受け付けるエンターキーを含む。
【０００７】
請求項２に記載の発明は、請求項１に記載の端末装置において、
前記筐体の先端に配置され、光学的に情報を読み取るスキャナ部を備え、
前記第１の操作部は、前記スキャナ部の読み取り実行の入力を受け付けるトリガキーを含み、
前記トリガキーは、前記筐体の正面の略中央に設けられ、
前記０数値キー及び前記エンターキーは、前記筐体の正面における前記トリガキーの左右に配置される。
【０００８】
請求項３に記載の発明は、請求項１又は２に記載の端末装置において、
前記筐体の正面における前記第１の操作部の後端側の隣接位置に配置され、１から９の数値入力を受け付ける数値キーを含む第２の操作部を備える。
【０００９】
請求項４に記載の発明は、請求項３に記載の端末装置において、
前記筐体の背面における前記第２の操作部に対応する位置に配置され、指を掛けるための第２の凹部を備える。
【００１０】
請求項５に記載の発明は、請求項３又は４に記載の端末装置において、
前記０数値キー、前記エンターキー及び前記第２の操作部の数値キーは、前記筐体の後端側から先端側へ上昇する階段状に配置される。
【発明の効果】
【００１１】
本発明によれば、数値入力のキー操作性を向上できる。
【発明を実施するための最良の形態】
【００１２】
以下、添付図面を参照して本発明に係る好適な実施の形態を詳細に説明する。なお、本発明は、図示例に限定されるものではない。
【００１３】
図１〜図５を参照して、本実施の形態のハンディターミナル１００の構成を説明する。先ず、図１〜図３を参照して、ハンディターミナル１００の外観構成を説明する。図１に、本実施の形態のハンディターミナル１００の正面の構成を示す。図２に、ハンディターミナル１００の側面の構成を示す。図４に、ハンディターミナル１００の背面の構成を示す。
【００１４】
本実施の形態のハンディターミナル１００は、キー操作入力機能及びバーコード読み取り機能を有し、コンビニエンスストア等の店舗支援のための操作入力端末装置である。ハンディターミナル１００は、店舗の店員等のユーザの操作入力により、商品会計時、棚卸時（在庫管理、発注）における商品のバーコード読み取りや、各種数値（在庫数量、発注数量等）のキー入力を行う。
【００１５】
図１に示すように、ハンディターミナル１００は、筐体１を備える。ハンディターミナル１００は、筐体１の正面に、表示部２と、操作部３と、スピーカ部４と、点灯部５と、電源キー６と、マイク部４１と、を備えて構成される。
【００１６】
以下、ハンディターミナル１００の長手方向のスピーカ部４側の端部を先端とし、逆側（マイク部４１側）の端部を後端として説明する。
【００１７】
筐体１は、ＡＢＳ（Acrylonitrile Butadiene Styrene）樹脂等の材料で形成される。表示部２は、ＬＣＤ（Liquid Crystal Display）であり、各種情報を表示する。表示部２としては、ＥＬＤ（ElectroLuminescent Display）等、他の表示部としてもよい。
【００１８】
操作部３は、各種操作キーを備え、ユーザのキー入力を受け付ける。操作部３は、トリガキーとしてのセンタトリガキー３１、カーソルキー３１Ａ、サイドトリガキー３２Ａ，３２Ｂ、テンキー３３、エンターキー３４、入力キー３５、ファンクションキー３６と、キーとキーの間を仕切るリブ３７とを有する。
【００１９】
センタトリガキー３１、サイドトリガキー３２Ａ，３２Ｂは、ユーザの押下により、後述するスキャナ部７のバーコード読み取りの実行を入力するためのキーである。センタトリガキー３１は、筐体１の正面の中心付近に設けられる。カーソルキー３１Ａは、筐体１の正面のセンタトリガキー３１の左右に設けられる。カーソルキー３１Ａは、上下移動を入力するためのキーである。サイドトリガキー３２Ａは、筐体１の右側面でセンタトリガキー３１より先端側の位置に設けられる。サイドトリガキー３２Ｂは、筐体１の左側面でセンタトリガキー３１より先端側の位置に設けられる。
【００２０】
テンキー３３は、ユーザの押下により０〜９の各数値を入力するためのキーであり、数値０を入力するための０数値キー３３Ａ、１〜９を入力するための各数値キーを有する。０数値キー３３Ａは、筐体１の正面のセンタトリガキー３１の左下に設けられる。テンキー３３の１〜９の数値キーは、筐体１の正面のセンタトリガキー３１及び０数値キー３３Ａより後端側に設けられ、先端側から後端側へ数値が昇順になるよう配置されている。
【００２１】
エンターキー３４は、ユーザの押下により確定を入力するためのキーである。エンターキー３４は、筐体１の正面のセンタトリガキー３１の右下で、テンキー３３の１〜９の数値キーより先端側に設けられる。
【００２２】
入力キー３５は、ファンクションキー３６との組み合わせによりシフトキーとして機能するＦｎキー、小数点を入力するための小数点入力キー、入力済事項の削除を入力するＣＬＲキーを備える。入力キー３５は、筐体１の正面のテンキー３３の後端側に設けられる。
【００２３】
ファンクションキー３６は、ユーザの押下により各種ファンクションの実行を入力するためのキーである。ファンクションキー３６は、筐体１の正面の入力キー３５の後端側に設けられる。ファンクションキー３６の機能としては、例えば、表示部２に表示された項目のうちの前項目、後項目の選択、左右のカーソル移動、空白入力、文字種切替等である。また、ファンクションキー３６の各機能は、キー毎にデフォルトで設定されているが、適宜再設定も可能である。
【００２４】
また、操作部３の各キーをその配置により、複数のブロックに分ける。筐体１の先端側から後端側へ順に、第１の操作部としてのブロック３ａ、第２の操作部としてのブロック３ｂ、ブロック３ｃ、ブロック３ｄとする。ブロック３ａは、センタトリガキー３１、カーソルキー３１Ａ、テンキー３３の０数値キー３３Ａ及びエンターキー３４を有する。ブロック３ｂは、テンキー３３の１〜９の数値キーを有する。ブロック３ｃは、入力キー３５を有する。ブロック３ｄは、ファンクションキー３６を有する。
【００２５】
リブ３７は、隣接するキーを仕切るように、テンキー３３、入力キー３５、ファンクションキー３６に配置される。リブ３７を有することにより、ユーザが誤って隣り合ったキーの同時押しを避けることができる。そのため小さい筐体１にでも、ユーザが押し易い大きなキーを配置することが可能である。なお、キーが隣接しない場合、例えば、テンキー３３の１、２、３の数値キーと、４、５、６の数値キーとの間には空間があるので、このような空間がある個所にはリブ３７を配置しなくてもよい。
【００２６】
スピーカ部４は、筐体１の正面の表示部２より先端側に設けられ、各種の音を出力する。点灯部５は、筐体１の正面のスピーカ部４の左側に設けられる。点灯部５は、ＬＥＤ（Light Emitting Diode）等の発光部を有し、その発光部の点灯を行う。例えば、後述するスキャナ部７によるバーコード読み取り時、バーコードの読み取りが成功した際に、スピーカ部４による音出力と、点灯部５による点灯により、聴覚的及び視覚的にユーザに成功の旨を知らしめる。
【００２７】
電源キー６は、筐体１の正面のスピーカ部４の右側に設けられ、ユーザの電源オン／オフの押下入力を受け付ける。マイク部４１は、筐体１の正面の後端の中央付近に設けられ、ユーザのメッセージ等の音声入力を受付ける。また、スピーカ部４、点灯部５、電源キー６、マイク部４１の位置は、上記の位置に限定されるものではない。
【００２８】
図２に示すように、ハンディターミナル１００は、さらに、スキャナ部７と、アタッチメント固定凹部７Ａと、凸部８と、第１の凹部としての引っ掛かり部９と、第２の凹部としての引っ掛かり部１０と、凹部１１と、突起部１２と、充電端子１３と、ロック部１９と、を備える。
【００２９】
スキャナ部７は、筐体１の先端面に設けられ、商品に付されたバーコード等を光学的に読み取る。スキャナ部７は、バーコード等に照射する光の発光部と、発光部から発光されてバーコード等で反射される反射光を受光して電気信号に変換する受光部とを備える。スキャナ部７は、センタトリガキー３１、サイドトリガキー３２Ａ又は３２Ｂの押下に応じて、光照射及び情報の読み取りの動作が行われる。
【００３０】
筐体１のスキャナ部７部分は、背面側に曲げられた筐体１内に設けられ、筐体１の先端面の法線の延長線上に読み取るべきバーコードが位置するので、ユーザがハンディターミナル１００を把持して筐体１の先端面に沿ってバーコードに狙いをつけ易くなる。
また筐体１のアタッチメント固定凹部７Ａ部分は、図示しないアタッチメントを取り付ける係合部分である。アタッチメントを取り付け、このアタッチメントの先端を読み取るべきバーコードの位置に接触させることで、バーコードに狙いをさらにつけ易くなり、操作に慣れていない初心者であってもバーコードを簡単に読み取ることができる。
【００３１】
凸部８が無くても、ハンディターミナル１００の把持時にフィット感を十分得ることができるが、筐体１が後端側に向けて徐々にすぼまっているため、すっぽ抜けるおそれもある。このため、ハンディターミナル１００に凸部８が設けられている。
【００３２】
凸部８は、筐体１の一部であり、筐体１の背面の後端側で、操作部３の裏側に設けられる。凸部８は、半卵形状（略半楕円球）を有する。つまり、正面の操作部３からその裏側（背面の引っ掛かり部９，１０）に行くにつれて稜線が大きくなる。ユーザが裏面からハンディターミナル１００を把持した場合に、ユーザの手の平全体に凸部８がフィットし、把持したときの安心感が増大する。また、半卵形状は、外力に対する強度が大きい。すなわち落下時にも応力の集中が無く、衝撃が分散されるという効果により落下衝撃耐性を実現できる。このため、凸部８がない構成に比べて、凸部８（及び筐体１）の肉厚を薄くすることができ、軽量化が実現できる。
【００３３】
引っ掛かり部９，１０は、筐体１の背面の凸部８上に沿って設けられ、ユーザの指を引っ掛けるための凹部である。引っ掛かり部９は、ハンディターミナル１００の重心位置Ｇ内に配置され、センタトリガキー３１の裏側付近に位置する。また、側面から見た場合に、引っ掛かり部９の中心は、センタトリガキー３１の裏側付近で、その中心よりも先端側に位置することが好ましい。
【００３４】
引っ掛かり部１０は、テンキー３３の裏側に対応する位置に配置される。また、サイドトリガキー３２Ａ，３２Ｂは、後述するように筐体１を正面から把持し引っ掛かり部１０に中指を引っ掛けた状態での人差し指の位置に配置される。
【００３５】
筐体１のスキャナ部７の形状と、凸部８とにより、筐体１に凹部１１が形成される。凹部１１により、ハンディターミナル１００を、その背面を下にするように机上等に載置した場合に、ユーザが凹部１１に指を入れてハンディターミナル１００を容易に掴んで持ち上げることができる。
【００３６】
突起部１２は、筐体１の両側面で、操作部３の側方の位置に配置されて設けられる。突起部１２は、ディンプル加工が施され、複数の突起からなり、ユーザがハンディターミナル１００を把持する際に、各突起が滑り止めの効果を有する。また、筐体１の操作部３の位置付近の角部（端部）は、面取りがなされている。このため、ユーザの中指、薬指、小指等の手当たり感をよくでき、グリップ性が向上され、把持するユーザに安心感を与えることができる。
【００３７】
ロック部１９は、電池蓋８Ｂを開けるために係止部（図示せず）のロックを解除する際にスライド操作される。
【００３８】
また、図２にしめすテンキー３３、エンターキー３４、入力キー３５の各キーは、側方から見ると、後端側から先端側へ上昇する階段形状をしている。このため、テンキー３３を小さくしても、ユーザがテンキー３３、エンターキー３４、入力キー３５の各キーを容易に押下操作できる。なおこの階段形状については図３にて詳細に説明する。
【００３９】
図１に示した操作部３の各ブロックは、ハンディターミナル１００を下持ち片手操作した場合に、キー操作する親指の動かしやすい範囲に対応している。例えば、引っ掛かり部９に指を引っ掛けてハンディターミナル１００を把持する場合（後述する図５の操作状態）に、親指を最も自然に動かしやすい範囲がブロック３ａである。ブロック３ａに次いで親指を動かしやすい範囲がブロック３ｂである。ブロック３ａとブロック３ｂとは、程度の差はあれ、操作入力しやすい範囲といえる。ブロック３ｃ、ブロック３ｄは、親指を動かしやすくない範囲であるが、使用頻度の低いキーが配置される。
【００４０】
次いで、図３を参照して、ハンディターミナル１００の内部構成を説明する。図３に、図１のハンディターミナル１００のIII−III線における断面構成を示す。
【００４１】
図３に示すように、ハンディターミナル１００は、内部に、表示部２、スピーカ部４、スキャナ部７、通信端子１４、基板１５、メインバッテリー１６、サブバッテリー１７、バイブレータ１８、マイク部４１等を備えて構成される。スキャナ部７の光照射方向ａ（情報読み取り方向）は筐体１の先端面の法線ｂとの交点ｃが焦点になるように光を照射する。このため、スキャナ部７の光照射方向は、ユーザがハンディターミナル１００を把持して筐体１の先端面に沿ってバーコードに狙いをつけ易くなる。
【００４２】
通信端子１４は、背面の後端に設けられ、外部との通信を介するための接続端子である。ハンディターミナル１００は、図示しないクレードルに載置可能である。クレードルは、商用電源と外部機器の通信ケーブルとに接続される。ハンディターミナル１００をクレードルに載置した状態で、そのクレードルの充電端子と充電端子１３とが接続され、またクレードルの通信端子と通信端子１４とが接続される。このクレードルとの接続状態において、充電端子１３を介しハンディターミナル１００に充電が行われ、通信端子１４を介して外部機器とハンディターミナル１００との通信が行われる。
【００４３】
基板１５は、表示部２及び操作部３の位置に対応し筐体１の内部に設けられ、ＰＣＢ（Printed Circuit Board）で構成され、ハンディターミナル１００の各電子部品に接続される。メインバッテリー１６は、操作部３の位置に対応し、筐体１の内部に設けられる。メインバッテリー１６は、着脱可能で充放電可能な２次電池であり、例えば、リチウム電池である。
【００４４】
サブバッテリー１７は、引っ掛かり部９の後端側の位置に対応し筐体１の内部に設けられる。サブバッテリー１７は、固定的に設けられた充放電可能な２次電池であり、メインバッテリー１６の供給電力がなくなると、その代わりに電力を供給する。メインバッテリー１６及びサブバッテリー１７は、充電端子１３を介して充電される。
【００４５】
バイブレータ１８は、サブバッテリー１７の後端側の位置に対応し筐体１の内部に設けられ、振動を行う。例えば、後述するスキャナ部７によるバーコード読み取り時、バーコードの読み取りが成功した際に、バイブレータ１８により振動出力がなされ、触覚的にユーザに成功の旨を知らしめる。
【００４６】
また、凸部８の内部には、中空部８Ａを有する。中空部８Ａにより、凸部８の形状を確保するとともに、ハンディターミナル１００の軽量化が図れる。テンキー３３、エンターキー３４、入力キー３５の個々のキーの形状は後端側が先端側より若干高くなるように形成され、テンキー３３、エンターキー３４、入力キー３５の各キーは後端側から先端側へ上昇して設けられているキーボード基板３８上に配置され、その結果、各キーは後端側から先端側へ上昇する階段状に配列される。後述する図６の状態で、ユーザがハンディターミナル１００を把持したまま、テンキー３３、エンターキー３４、入力キー３５を親指２０１で押下操作する際に、各キーは後端側から先端側へ上昇する階段状に配列されているので、親指２０１を動かして各キーを操作する場合に各キーへの親指２０１の掛かりが良くなり操作性を向上させることが可能になる。
【００４７】
また、ハンディターミナル１００は、筐体１の先端から後端までの中央付近にその重心が位置するように、引っ掛かり部９付近の筐体１内部に重量が比較的大きい部品を密度が高くなるように配置されている。
【００４８】
次いで、図４を参照して、ハンディターミナル１００の背面部分について説明する。図４に、ハンディターミナル１００の背面における斜視構成を示す。
【００４９】
図４に示すように、凸部８は、メインバッテリー１６の電池蓋８Ｂとして機能し、ロック部１９Ａ，１９Ｂをスライド操作して、係止部（図示せず）のロックを解除し、電池蓋８Ｂを開ける。例えば、ユーザの手の大きさ、把持時の手の形状等に応じて、形状が異なる凸部８（電池蓋８Ｂ）を用意しておき、使用中の凸部８（電池蓋８Ｂ）を、次に使用するユーザに応じた適切な形状の凸部８（電池蓋８Ｂ）に交換することにより、異なるユーザそれぞれに対して、ハンディターミナル１００把持時の手を凸部８にフィットさせることもできる。また、メインバッテリー１６を大容量バッテリーにした場合など、その大きさに合わせて形状が異なる凸部８（電池蓋８Ｂ）を用意することもできる。
【００５０】
次に、図５〜図７を参照して、ハンディターミナル１００をユーザが把持及び操作する動作状態を説明する。図５に、左手２００でハンディターミナル１００を把持しセンタトリガキー３１を操作する状態の側面構成を示す。図６に、左手２００でハンディターミナル１００を把持しテンキー３３を操作する状態の側面構成を示す。図７に、左手２００でハンディターミナル１００を把持しサイドトリガキー３２Ｂを操作する状態の斜視構成を示す。
【００５１】
動作の一例として、ハンディターミナル１００を用いて棚卸時の発注作業を行うケースを説明する。ユーザによる発注作業は、商品のバーコードの読み取りと、読み取ったバーコードの商品の発注数量の入力と、を異なる商品それぞれに対して交互に行う。
【００５２】
先ず、ハンディターミナル１００を用いてバーコード読み取りを行う動作を説明する。図５に示すように、ハンディターミナル１００のセンタトリガキー３１を操作する場合に、ユーザは例えば左手２００でハンディターミナル１００を背面側から把持する。より具体的には、左手２００の人差し指２０２を引っ掛かり部９に引っ掛けて把持する。図５の操作は、下持ち片手操作である。すると、自然に無理なく、左手２００が凸部８にフィットし、中指２０３が引っ掛かり部１０に引っ掛かり、薬指２０４及び小指２０５が筐体１の右側面に位置され、親指２０１がセンタトリガキー３１上に位置する。また、中指２０３、薬指２０４及び小指２０５の指先位置に、突起部１２が位置する。
【００５３】
図５の状態で、ユーザがハンディターミナル１００を把持したまま、センタトリガキー３１を親指２０１で押下操作する。特に、ハンディターミナル１００のスキャナ部７の光照射方向をバーコードに容易に向けることができ、その姿勢でセンタトリガキー３１を押下して容易にバーコードの読み取りを行うことができる。スキャン操作（センタトリガキー３１押下）時に、腕に余計な負担を掛けることなく快適なスキャン操作が可能となる。また、図５の把持の位置関係は、スキャン操作時において、ハンディターミナル１００が不安定になることを防止できる。また、中指２０３を引っ掛かり部９に引っ掛けて把持することとしてもよい。ハンディターミナル１００を右手で把持してセンタトリガキー３１を操作する場合も同様である。
【００５４】
また、引っ掛かり部９が重心位置Ｇ内にあるため、ユーザがハンディターミナル１００を把持したときの腕の緊張を緩和できる。人差し指２０２を重心位置Ｇ内の引っ掛かり部９に引っ掛けると、筐体１の重量バランスがとれ、ハンディターミナル１００をより確実に把持でき、ハンディターミナル１００の落下を防ぐことができ、長時間の操作においてユーザの疲労を軽減できる。特に、ハンディターミナル１００を持つ位置が決まらないことと、指が安定しないことと、ハンディターミナル１００の重量を感じ続けることで腕の筋に余計な負担がかかり、疲労を感じるが、図５に示したハンディターミナル１００の把持により、ユーザにおける重量感を軽減することができる。
【００５５】
また、図５の操作状態においては、センタトリガキー３１と同じブロック３ａの０数値キー３３Ａ及びエンターキー３４も容易に押下できる。
【００５６】
次いで、ハンディターミナル１００を用いて発注数量入力を行う動作を説明する。図６に示すように、ハンディターミナル１００のテンキー３３、エンターキー３４を操作する場合に、ユーザは例えば左手２００でハンディターミナル１００を背面側から把持する。より具体的には、左手２００の人差し指２０２を引っ掛かり部１０に引っ掛けて把持する。図６の操作は、下持ち片手操作である。すると、自然に無理なく、左手２００が凸部８にフィットし、中指２０３及び薬指２０４が筐体１の右側面に位置され、親指２０１がテンキー３３上に位置する。また、中指２０３及び薬指２０４の指先位置に、突起部１２が位置する。
【００５７】
図６の状態で、ユーザがハンディターミナル１００を把持したまま、テンキー３３を親指２０１で押下操作する。テンキー操作（テンキー３３押下）時に、腕に余計な負担を掛けることなく快適なテンキー操作が可能となる。また、図６の把持の位置関係は、テンキー操作時において、ハンディターミナル１００が不安定になることを防止できる。また、中指２０３を引っ掛かり部１０に引っ掛けて把持することとしてもよい。ハンディターミナル１００を右手で把持してテンキー３３を操作する場合も同様である。
【００５８】
発注数量の入力においては、テンキー３３押下により発注数量の数値を入力してから、エンターキー３４押下により、発注数量の確定を入力する。この数値の入力では、０〜９のうち、０を入力する頻度が最も高いので、０数値キー３３Ａの押下の頻度が最も高い。また、各発注数量の入力の最後に必ずエンターキー３４を押下するので、エンターキー３４押下の頻度も高い。
【００５９】
つまり、使用頻度の高いセンタトリガキー３１、０数値キー３３Ａ、エンターキー３４が同じブロック３ａで互いに近い配置にある。このため、発注作業において、図５の把持状態におけるセンタトリガキー３１の押下と、図６の把持状態におけるテンキー３３及びエンターキー３４の押下とを、交互にスムーズに行うことができる。このとき、引っ掛かり部９と引っ掛かり部１０との間で、指の位置移動をスムーズに行うことができる。
【００６０】
以上、ハンディターミナル１００を用いた発注作業時の操作を説明したが、ハンディターミナル１００は、会計作業等、他の作業でも使用される。他の作業でも、発注作業のように、スキャンとキー入力とを単純に繰り返すことが多い。ハンディターミナル１００の使用全般において、操作部３の筐体１正面のキーの使用頻度は、高い方から順に、センタトリガキー３１（ブロック３ａ）→０数値キー３３Ａ，エンターキー３４（ブロック３ａ）→テンキー３３（ブロック３ｂ）→入力キー３５の少数点キー（ブロック３ｃ）→ファンクションキー３６（ブロック３ｄ）→入力キー３５のＣＬＲキー（ブロック３ｃ）→カーソルキー３１Ａ→入力キー３５のＦｎキー（ブロック３ｃ）となる。
【００６１】
つまり、操作部３の筐体１正面のキーは、引っ掛かり部９の位置に対応するセンタトリガキー３１の位置に近い位置に配置されているほど使用頻度が高くなっている。下持ち片手操作では、キー操作をできる指が親指であり、親指の動きやすい範囲が限定されるため、操作部３の筐体１正面のキー配列により、操作性が向上する。
【００６２】
また、図７に示すように、ハンディターミナル１００を上持ち片手操作で操作することもできる。ハンディターミナル１００のサイドトリガキー３２Ａを操作する場合に、ユーザは例えば左手２００でハンディターミナル１００を正面側から把持する。より具体的には、左手２００の中指２０３を引っ掛かり部１０に引っ掛けて把持する。すると、自然に無理なく、薬指２０４及び小指２０５が凸部８にフィットし、人差し指２０２がサイドトリガキー３２Ｂに位置する。
【００６３】
図７の状態で、ユーザがハンディターミナル１００を把持したまま、サイドトリガキー３２Ａを人差し指２０２で押下操作する。特に、ハンディターミナル１００のスキャナ部７の光照射方向をバーコードに容易に向けることができ、その姿勢でサイドトリガキー３２Ｂを押下して容易にバーコードの読み取りを行うことができる。特に、凸部８により、正面の操作部３から裏面（背面）に行くにつれて稜線が大きくなるので、図７の把持状態でのユーザの違和感を除去できる。
【００６４】
ハンディターミナル１００を右手で把持してサイドトリガキー３２Ａを操作する場合も、同様である。また、サイドトリガキー３２Ａ又は３２Ｂを操作する際、左手２００又は右手により表示部２が隠れることがないため、ユーザが表示部２を確実に視認しつつ、サイドトリガキー３２Ａ又は３２Ｂを操作できる。また、ハンディターミナル１００を背面から片手で持ち、もう片方の手でキー操作を行う下持ち両手操作を行うこともできる。
【００６５】
以上、本実施の形態によれば、ハンディターミナル１００において筐体１の背面の重心位置Ｇ内の引っ掛かり部９の位置に対応する正面の位置に、０数値キー３３Ａ及びエンターキー３４を配置した。このため、指を引っ掛かり部９に引っ掛けてハンディターミナル１００を確実に把持でき、数値入力時に使用頻度が高い０数値キー３３Ａ及びエンターキー３４を操作入力しやすくなり、数値入力時の操作性を向上できる。
【００６６】
また、筐体１の正面の０数値キー３３Ａとエンターキー３４との中央上にセンタトリガキー３１を配置した。このため、スキャン実行（バーコード読み取り）での使用頻度が高いセンタトリガキー３１を操作入力しやすくなり、数値入力時を含めてスキャン実行時の操作性を向上できる。
【００６７】
また、筐体１の正面の０数値キー３３Ａ及びエンターキー３４に隣接して後端側に、テンキー３３の１〜９の数値キーを配置した。このため、スキャン実行（センタトリガキー３１押下）と数値入力（テンキー３３及びエンターキー３４押下）との間で指の移動量を小さくして操作入力でき、数値入力及びスキャン実行時の操作性を向上できる。
【００６８】
また、筐体１の正面のテンキー３３の１〜９の数値キーの位置に対応する背面位置に、引っ掛かり部１０を配置した。このため、指を引っ掛かり部１０に引っ掛けてハンディターミナル１００を確実に把持でき、１〜９の数値キーの数値入力を容易に操作入力でき、数値入力時の操作性を向上できる。
【００６９】
また、テンキー３３、エンターキー３４、入力キー３５は、各キーが後端側から先端側へ上昇する階段状に配列される。このため、テンキー３３、エンターキー３４、入力キー３５が小さくてもキーを押下しやすく、操作性を向上できる。よって、テンキー３３、エンターキー３４、入力キー３５を小さくしてハンディターミナル１００を小型化できる。
【００７０】
なお、上記実施の形態における記述は、本発明に係る操作装置の一例であり、これに限定されるものではない。
【００７１】
上記実施の形態では、端末装置としてハンディターミナルを用いる構成としたが、ＰＤＡ（Personal Digital Assistant）、電化製品のリモートコントローラ等、他の端末装置としてもよい。
【００７２】
また、上記実施の形態では、引っ掛かり部９の位置に対応する筐体１の正面の位置に、０数値キー３３Ａ及びエンターキー３４を配置する構成としたが、これに限定されるものではない。例えば、使用頻度の高い０数値キー３３Ａ及びエンターキー３４（ブロック３ａのキー）を他のキー（ブロック３ｂ，３ｃのキー）に比べて大きくして、使用頻度の高いキーの識別が容易で且つ操作入力しやすい構成としてもよい。
【００７３】
また、例えば、使用頻度の高い０数値キー３３Ａ及びエンターキー３４（ブロック３ａのキー）を他のキー（ブロック３ｂ，３ｃのキー）に比べて、色、形（丸、四角等）、表面形状（ディンプル加工等）等を異にして、使用頻度の高いキーの識別が容易で且つ操作入力しやすい構成としてもよい。
【００７４】
また、上記実施の形態では、センタトリガキー３１の左下に０数値キー３３Ａを配置し、センタトリガキー３１の右下にエンターキー３４を配置する構成としたが、これに限定されるものではない。例えば、センタトリガキー３１の左に０数値キー３３Ａを配置し、センタトリガキー３１の右にエンターキー３４を配置してもよい。さらに、センタトリガキー３１の右下又は右に０数値キー３３Ａを配置し、センタトリガキー３１の左下又は左にエンターキー３４を配置してもよい。
【００７５】
また、上記実施の形態では、センタトリガキー３１、サイドトリガキー３２Ａ，３２Ｂ、テンキー３３、エンターキー３４、入力キー３５、ファンクションキー３６を、押下式のキーとしたが、これに限定されるものではない。例えば、センタトリガキー３１、サイドトリガキー３２Ａ，３２Ｂ、テンキー３３、エンターキー３４、入力キー３５、ファンクションキー３６を、スライド式、ジョグダイヤル式等、他の方式のキーとすることとしてもよく、また、それぞれ、他の操作入力のための操作キーとしてもよい。
【００７６】
また、上記実施の形態におけるハンディターミナル１００の各構成要素の細部構成及び細部動作に関しては、本発明の趣旨を逸脱することのない範囲で適宜変更可能であることは勿論である。
【図面の簡単な説明】
【００７７】
【図１】本発明に係る実施の形態のハンディターミナルの正面図である。
【図２】ハンディターミナルの側面図である。
【図３】図１のハンディターミナルのIII−III線における断面図である。
【図４】ハンディターミナルの背面における斜視図である。
【図５】左手でハンディターミナルを把持しセンタトリガキーを操作する状態を示す側面図である。
【図６】左手でハンディターミナルを把持しテンキーを操作する状態を示す側面図である。
【図７】左手でハンディターミナルを把持しサイドトリガキーを操作する状態を示す斜視図である。
【符号の説明】
【００７８】
１００  ハンディターミナル
１  筐体
２  表示部
３  操作部
３ａ，３ｂ，３ｃ，３ｄ  ブロック
３１  センタトリガキー
３２Ａ，３２Ｂ  サイドトリガキー
３３  テンキー
３３Ａ  ０数値キー
３４  エンターキー
３５  入力キー
３６  ファンクションキー
３７  リブ
３８  キーボード基板
４  スピーカ部
５  点灯部
６  電源キー
７  スキャナ部
７Ａ  アタッチメント固定凹部
８  凸部
８Ａ  中空部
８Ｂ  電池蓋
９  引っ掛かり部
１０  引っ掛かり部
１１  凹部
１２  突起部
１３  充電端子
１４  通信端子
１５  基板
１６  メインバッテリー
１７  サブバッテリー
１８  バイブレータ
１９  ロック部
１９Ａ，１９Ｂ  ロック部
２００  左手
２０１  親指
２０２  人差し指
２０３  中指
２０４  薬指
２０５  小指
ａ  光照射方向
ｂ  法線
ｃ  交点
【図１】
2009009195.tif 000003
【図２】
2009009195.tif 000004
【図３】
2009009195.tif 000005
【図４】
2009009195.tif 000006
【図５】
2009009195.tif 000007
【図６】
2009009195.tif 000008
【図７】
2009009195.tif 000009